(57)【特許請求の範囲】
【請求項１】
デュアルモードフェムトアクセスポイントにおいて、  ３Ｇ規格にしたがって動作するホーム基地局（ＨＮＢ）を含む第１基地局モジュールであって、通信ネットワークへのワイヤレス接続を、前記第１基地局モジュールの範囲内の１つ以上の移動通信装置に提供するための第１基地局モジュール、
ＬＴＥ規格にしたがって動作するホーム基地局（ＨｅＮＢ）を含む第２基地局モジュールであって、通信ネットワークへのワイヤレス接続を、前記第２基地局モジュールの範囲内の１つ以上の移動通信装置に提供するための第２基地局モジュール、及び
前記デュアルモードフェムトアクセスポイントの内部で、少なくとも１つの情報要素を、前記第１及び第２基地局モジュールの一方から前記第１及び第２基地局モジュールのもう一方へ転送するための手段、
を含むデュアルモードフェムトアクセスポイント。
【請求項２】
前記転送手段は、少なくともネットワークモニタモード（ＮＭＭ）情報要素を転送する構成を備えている請求項１に記載のデュアルモードフェムトアクセスポイント。
【請求項３】
前記転送手段は、物理セル識別子（ＰＣＩ）を含むＮＭＭ情報要素を転送する構成を備えている請求項２記載のデュアルモードフェムトアクセスポイント。
【請求項４】
前記転送手段は、一次スクランブル符号（ＰＳＣ）を含むＮＭＭ情報要素を転送する構成を備えている請求項２又は３記載のデュアルモードフェムトアクセスポイント。
【請求項５】
前記転送手段は、隣接セルの搬送周波数を含むＮＭＭ情報要素を転送する構成を備えている請求項２〜４のいずれか一項に記載のデュアルモードフェムトアクセスポイント。
【請求項６】
前記転送手段は、静的セルパラメータ情報要素を含む少なくとも一つの情報要素を転送する構成を備えている請求項１〜５のいずれか一項に記載のデュアルモードフェムトアクセスポイント。
【請求項７】
前記転送手段は、基地局モジュールがサービスを提供するＵＥの最大数（ＭａｘＵＥｓｅｒｖｅｄ） を指示する少なくとも一つの静的セルパラメータ情報要素を転送する構成を備えている請求項６に記載のデュアルモードフェムトアクセスポイント。
【請求項８】
前記転送手段は、基地局モジュールがサービスを提供する制限された加入者グループ（ＣＳＧ）メンバの最大数（ＭａｘＣＳＧＭｅｍｂｅｒｓ）を指示する少なくとも一つの静的セルパラメータ情報要素を転送する構成を備えている請求項６または７記載のデュアルモードフェムトアクセスポイント。
【請求項９】
前記転送手段は、基地局モジュールがサービスを提供する非加入者グループ（ＣＳＧ）メンバの最大数（ＭａｘＮｏｎＣＳＧＭｅｍｂｅｒｓ）を指示する少なくとも一つの静的セルパラメータ情報要素を転送する構成を備えている請求項６〜８のいずれか一項に記載のデュアルモードフェムトアクセスポイント。
【請求項１０】
前記転送手段は、動的セルパラメータ情報要素を含む少なくとも一つの情報要素を転送する構成を備えている請求項１〜９のいずれか一項に記載のデュアルモードフェムトアクセスポイント。
【請求項１１】
前記転送手段は、基地局モジュールによって提供されている制限された加入者グループ（ＣＳＧ）  ＵＥの現在数を指示する少なくとも一つの動的セルパラメータ情報要素を転送する構成を備えている請求項１０記載のデュアルモードフェムトアクセスポイント。
【請求項１２】
前記転送手段は、基地局モジュールによりサービスを提供されている非ＣＳＧ  ＵＳの現在数を指示する少なくとも１つの動的セルパラメータ情報要素を転送する構成を備えている請求項１０又は１１記載のデュアルモードフェムトアクセスポイント。
【請求項１３】
前記転送手段は、システム情報を含む少なくとも１つの情報要素を転送する構成を備えている請求項１〜１２のいずれか一項に記載のデュアルモードフェムトアクセスポイント。
【請求項１４】
前記システム情報は、ＨＮＢ用ＵＭＴＳ(Universal Mobile Telecommunication System) システム情報である請求項１３記載のデュアルモードフェムトアクセスポイント。
【請求項１５】
前記転送手段は、前記第１及び第２基地局モジュールを結合する内部インターフェイスを含む請求項１〜１４のいずれか一項に記載のデュアルモードフェムトアクセスポイント。
【請求項１６】
前記第１及び第２基地局モジュールの少なくとも一方は、少なくとも１つの情報要素を前記転送手段に提供するように構成され、前記転送手段は、前記提供された少なくとも１つの情報要素を格納するメモリを含み、及び、前記第１及び第２基地局モジュールの他方は、前記提供された少なくとも１つの情報要素を、前記転送手段の前記メモリから検索するように構成されている、請求項１または１５のいずれか一項に記載のデュアルモードフェムトアクセスポイント。
【請求項１７】
前記第１及び第２基地局モジュールの少なくとも一方は、少なくとも１つの情報要素を前記転送手段に提供するように構成され、前記転送手段は、前記提供された少なくとも１つの情報要素を格納するメモリを含み、及び、前記転送手段は、前記第１及び第２基地局モジュールの前記少なくとも一方により提供された前記情報要素を、前記第１及び第２基地局モジュールの他方に提供するように構成されている請求項１から１６のいずれか一項に記載のデュアルモードフェムトアクセスポイント。
【請求項１８】
前記転送手段は、メモリを含む動作管理保守モジュールを含むことを特徴とする請求項１から１７のいずれか一項に記載のデュアルモードフェムトアクセスポイント。
【請求項１９】
前記第１及び第２基地局モジュールの少なくとも一方は、少なくとも１つの情報要素を、前記インターフェイスを介して、前記第１及び第２基地局モジュールのもう一方に提供するように構成されている請求項１５または請求項１５に従属するいずれかの請求項のいずれか一項に記載のデュアルモードフェムトアクセスポイント。
【請求項２０】
前記第１及び第２基地局モジュールの少なくとも一方は、少なくとも１つの情報要素を、前記インターフェイスを介して、前記第１及び第２基地局モジュールのもう一方にリクエストするように構成されていることを特徴とする請求項１５または請求項１５に従属するいずれかの請求項に記載のデュアルモードフェムトアクセスポイント。
【請求項２１】
前記インターフェイスは、前記第１及び第２基地局モジュールの少なくとも一方のための少なくとも１つのコントローラモジュールを含むインターフェイスモジュールを含むことを特徴とする請求項１５または請求項１５に従属するいずれかの請求項のいずれか一項に記載のデュアルモードフェムトアクセスポイント。
【請求項２２】
前記第１及び第２基地局モジュールの少なくとも一方は、コントローラモジュールからのリクエストに応答して、少なくとも１つの情報要素を、前記インターフェイスを介して、前記第１及び第２基地局モジュールのもう一方に提供するように構成されていることを特徴とする請求項１５から２１のいずれか一項に記載のデュアルモードフェムトアクセスポイント。
【請求項２３】
前記第１基地局モジュールと前記第２基地局モジュールは共通のハウジング内に搭載されることを特徴とする請求項１から２２のいずれか一項に記載のデュアルモードフェムトアクセスポイント。
【請求項２４】
前記転送手段は、前記デュアルモードフェムトアクセスポイントの内部で、前記少なくとも１つの情報要素を転送するように、または前記少なくとも１つの情報要素を、転送中の前記少なくとも１つの情報要素に依存して、前記デュアルモードフェムトアクセスポイントの外部にある前記通信ネットワークの通信ノードを介し、転送するように構成されている請求項１から２３のいずれか一項に記載のデュアルモードフェムトアクセスポイント。
【請求項２５】
通信ネットワークで使用されるシステムであって、１つ以上の移動通信装置と、請求項１から２４のいずれか一項に記載のデュアルモードフェムトアクセスポイントと、を含むシステム。
【請求項２６】
デュアルモードフェムトアクセスポイントとともに使用される移動通信装置であって、前記デュアルモードフェムトアクセスポイントは、第１基地局モジュールであって、通信ネットワークへのワイヤレス接続を、前記第１基地局モジュールの範囲内の１つ以上の移動通信装置に提供するための第１基地局モジュール、第２基地局モジュールであって、通信ネットワークへのワイヤレス接続を、前記第２基地局モジュールの範囲内の１つ以上の移動通信装置に提供するための第２基地局モジュール、及び前記第１基地局モジュールと前記第２基地局モジュールとを連結するためのインターフェイスフェース、を含み、前記第１及び第２基地局モジュールの少なくとも一方は、前記デュアルモードフェムトアクセスポイントの内部で、少なくとも１つの情報要素を、前記インターフェイスを介して前記第１及び第２基地局モジュールのもう一方と交換するように構成され、さらに、前記第１基地局モジュールは３Ｇ規格にしたがって動作するホーム基地局（ＨＮＢ）を含み、他方、前記第２基地局モジュールはＬＴＥ規格にしたがって動作するホーム基地局（ＨｅＮＢ）を含んでおり、
前記移動通信装置は、前記デュアルモードフェムトアクセスポイントの前記第１及び第２基地局モジュールの１つを介して前記通信ネットワークと通信するように配置されることを特徴とする移動通信装置。
【請求項２７】
通信ネットワークにおいて実行され、３Ｇ規格にしたがって動作するホーム基地局（ＨＮＢ）を含む一つの基地局モジュールとＬＴＥ規格にしたがって動作するホーム基地局（ＨｅＮＢ）を含む他方の基地局モジュールを含むデュアルモードフェムトアクセスポイントの２つの基地局モジュール間での少なくとも１つの情報要素の交換を容易にするための方法であって、前記方法は、前記２つの基地局モジュールを連結する内部インターフェイスを通じて少なくとも１つの情報要素を交換することを含むことを特徴とする方法。
【請求項２８】
通信ネットワークにおいて実行され、３Ｇ規格にしたがって動作するホーム基地局（ＨＮＢ）を含む一つの基地局モジュールとＬＴＥ規格にしたがって動作するホーム基地局（ＨｅＮＢ）を含む他方の基地局モジュールを含むデュアルモードフェムトアクセスポイントの２つの基地局モジュール間での少なくとも１つの情報要素の交換を容易にするための方法であって、前記方法は、メモリを含む動作管理保守モジュールを含む転送手段を介して少なくとも１つの情報要素を交換することを含むことを特徴とする方法。
【請求項２９】
請求項２７または２８のいずれかに記載の方法をコンピュータに実行させるための命令を含むコンピュータプログラム。
【発明の詳細な説明】
【技術分野】
【０００１】
本発明は、移動通信ネットワークおよびそのパーツに関し、具体的には、しかし排他的にではなく、第３世代パートナーシッププロジェクト（３ＧＰＰ）規格、またはその等価物、またはその派生物に従って動作するネットワークに関する。本発明は、これらのネットワークにおけるホーム基地局間の情報要素の交換に特別に、しかし排他的にではなく関連している。
【背景技術】
【０００２】
３ＧＰＰ規格では、ノードＢ（またはＬＴＥ（即ち、ロングタームエボルーション）においてはｅＮＢ）は基地局モジュールであり、これを介して移動機器とコアネットワークが接続され、そのネットワークのセルを画定する。ホーム基地局または基地局モジュール（ＨＮＢ）は、短距離の３Ｇ無線周波数（ＲＦ）送受信範囲を提供し、フェムトアクセスポイント（ＦＡＰ）と称されることがある。ホーム基地局がＬＴＥ規格に従って動作しているところでは、ＨＮＢは一般的にＨｅＮＢと称される。ＨＮＢ／ＨｅＮＢと称されることもある基地局は、３Ｇ規格およびＬＴＥ規格に従って動作可能であり、デュアルモードフェムトセルを画定する。ＨＮＢ／ＨｅＮＢ基地局はまた、デュアルモードフェムトアクセスポイント（ＦＡＰ）またはデュアルＦＡＰと称されることもある。
【０００３】
ＨＮＢまたはＨｅＮＢは、ホーム、小規模または中規模企業、ショッピングモールなどにおける無線送受信範囲（例えば、３Ｇ、４Ｇ、および／またはＷｉＭＡＸ）を提供し、典型的には、適切なレジデンシャルゲートウェイＲＧおよび公共または企業のブロードバンド（ＢＢ）アクセスネットワークを介して（例えば、インターネットへのＡＤＳＬリンクを介して）コアネットワークに接続する。ＨＮＢまたはＨｅＮＢは、自身が接続されているローカルネットワークによりＩＰアドレスが与えられ、ＨＮＢまたはＨｅＮＢはこのＩＰアドレスを移動電話オペレータネットワークに提供し、それにより、ブロードアクセスネットワークを通してＨＮＢまたはＨｅＮＢのための適切なリソースを保有できる。
【０００４】
通常の動作モードまたは通常状態における動作中、ＨＮＢまたはＨｅＮＢは、ユーザー機器（ＵＥ）のユーザーが、多数の基地局（ｅＮｏｄｅＢ、ｅＮＢ）の１つおよびコアネットワークを介して他のそのようなユーザーと通信することを可能にする。
【０００５】
接続中または動作状態またはモードにおいて、ＵＥはネットワークに登録され、基地局とのＲＲＣ（無線リソースコントロール）接続を有し、それにより、ネットワークはどのセルにＵＥが属しているかを識別でき、データをＵＥに送信でき、またデータをＵＥから受信できる。ＬＴＥでは、動作状態またはモードにおいて、ハンドオーバー手順が、ＵＥに対し、イントラＬＴＥシステム（ＲＡＴ内および周波数間）内での他のＲＡＴ（無線アクセス技術）への移動中のサービス継続を可能にする。
【０００６】
ＵＥはまた、電力保存またはアイドル状態またはモードを有し、その状態またはモードにおいて、ＵＥは典型的にはデータを送信または受信せず、ＵＥについてのコンテクストは基地局により格納されない。アイドル状態において、ＵＥの位置は、基地局セルのクラスタまたはグループを含むトラッキングエリア（ＴＡ）の粒度において（３ＧＰＰにおけるＭＭＥ（モビリティマネジメントエンティティ）に）のみ知られる。アイドル状態のとき、ＵＥは、ＢＣＨ（報知チャネル）において基地局により一斉送信されたパラメータに従って、トラッキングエリア更新タイマ値により与えられる頻度でセルを選択または再選択し、基地局はＵＥにより行われるセルの選択／再選択を感知しない。
【０００７】
通常の動作モード中、ＨＮＢまたはＨｅＮＢは通常、定期的に、基準信号とシステム情報、例えば、パイロットチャネルおよび報知チャネルの両者、を含むダウンリンク送信を、その存在をＵＥに信号で通知するために一斉送信する。各ＨＮＢまたはＨｅＮＢはまた、そのセルにおいて、アイドル状態または接続状態のＵＥがあるかどうかを確認する。ＨＮＢまたはＨｅＮＢがこの確認を行うことを可能にするために、周期的トラッキングエリア更新タイマ値を、動作及び管理（Ｏ＆Ｍ）システムを通して、ＨＮＢまたはＨｅＮＢに送ってよい。トラッキングエリア更新を行っても応答するＵＥがないときは、ＨＮＢまたはＨｅＮＢは、そのセルにはアイドル状態のＵＥは存在しないと見なすことができる。ＨＮＢまたはＨｅＮＢはまた、アイドル状態のＵＥに対してダミー呼び出しを行うこともできる。ＨＮＢまたはＨｅＮＢがＵＥから呼び出し応答を受信しないときは、ＨＮＢまたはＨｅＮＢは、そのセルにはアイドル状態のＵＥは存在しないと見なすことができる。ある継続する期間の間（アイドルタイマにより決定されるような期間）、接続状態またはアイドル状態のＵＥが存在しないなら、ＨＮＢまたはＨｅＮＢは省エネモードに移行し、すべてのダウンリンク送信を停止する。しかし、省エネモードタイマが終了するか、またはＨＮＢまたはＨｅＮＢが呼び出しを受信または、そのＳ１インターフェイスを通じてまたは（ブロードバンドフォーラムによるＴＲ１９６データモデルに定義されたプロトコルメッセージを使用する）ＴＲ０６９インターフェイスを通じて他のメッセージを受信すると、またはＨＮＢまたはＨｅＮＢが、隣接セル内のＵＥからのアップリンク送信を検出すると、ＨＮＢまたはＨｅＮＢは通常動作モードに戻り、ダウンリンク送信を再び開始する。
【０００８】
デュアルモードセルにおいて、ＨｅＮＢのベースバンド処理ハードウェアブロックと無線周波数処理ハードウェアブロックの両者は、ＨＮＢのベースバンド処理ハードウェアブロックと無線周波数処理ハードウェアブロックから独立している。
【０００９】
しかし、デュアルモードＦＡＰの基地局モジュールのうちの少なくとも１つは、他の基地局モジュールからの少なくとも１つの情報要素を必要とすることもあり得る。基地局モジュールの少なくとも１つが、他の基地局モジュールからの少なくとも１つの情報要素を必要とすることもあり得るデュアルＦＡＰの、典型的ではあるが、しかし制限的でない動作モードは、ＮＭＭ情報要素更新と、ハンドオーバーと、回線交換フォールバック（ＣＳＦＢ）を含む。
【００１０】
ＮＭＭ情報要素更新
基地局モジュールは、アプリケーションレベルソフトウェアモジュール（ＮＭＭコントローラと称される場合もある）により制御され、ネットワークモニタモードにおいて２Ｇ、３Ｇ，ＬＴＥなどのようなＲＡＴの隣接セルを走査して監視するように構成されているネットワークモニタモード（ＮＭＭ）モジュールを含んでよい。隣接セルの走査は、隣接セルの識別と、識別された隣接セルの識別情報を含む隣接セルリストの更新を含む。隣接セルの監視は、隣接セルの物理セル識別子（ＰＣＩ）と一次スクランブル符号（ＰＳＣ）と搬送周波数の、少なくとも１つの判定を含むことができる。
【００１１】
デュアルＦＡＰにおいて、ＮＭＭは、基地局モジュールの１つだけが動作させることができ、２つの基地局モジュールが、ＮＭＭを同時に動作させることはできない。また、ＮＭＭを動作させている基地局モジュールがＨｅＮＢの場合は、その基地局モジュールは自動隣接関連（ＡＮＲ）手順の効力により、デュアルＦＡＰのＨＮＢよりも多くの隣接セルを識別できる。
【００１２】
従って、ＮＭＭを動作させた基地局モジュールのＮＭＭモジュールは、更新されたＰＣＩ、ＰＳＣ、搬送周波数、または隣接セルリストのようなＮＭＭの結果に対応する情報要素を、他の基地局モジュールに送る必要があるかもしれない。幾つかの例において、情報要素を送ることは、ネットワーク上でＴＲ−０６９オートコンフィギュレーションサーバ（ＡＣＳ）を介して行い得る。
【００１３】
回線交換フォールバック（ＣＳＦＢ）
デュアルＦＡＰのＨｅＮＢは、パケットオンリ無線アクセス技術（ＲＡＴ）に依存し、電話呼用にもともと使用されている回線交換（ＣＳ）技術には依存しない。従って、ＨｅＮＢは、発呼または着呼のために、３ＧＰＰ  ＴＳ  ３６．３００−ｖ９．６．０に定義されているように、回線交換フォールバック（ＣＳＦＢ）を行うことが必要となることがある。ＣＳＦＢの間、ＵＥはそのＲＡＴをＬＴＥ技術から、回線交換サービスをサポートしている２Ｇ（ＧＳＭ（登録商標））または３Ｇ（ＵＭＴＳ）技術に変更する。
【００１４】
ＵＭＴＳまたはＧＳＭへの回線交換フォールバックのために、幾つかのＣＳＦＢの選択肢がある。ＣＳＦＢの選択肢の１つは、システム情報の情報要素（ＩＥ）を含むリダイレクション付きＲＲＣ接続解放（ａ  ＲＲＣ  Ｃｏｎｎｅｃｔｉｏｎ  Ｒｅｌｅａｓｅ  ｗｉｔｈ  Ｒｅｄｉｒｅｃｔｉｏｎ  ｗｉｔｈ  Ｓｙｓ  Ｉｎｆｏ  ｉｎｆｏｒｍａｔｉｏｎ  ｅｌｅｍｅｎｔ（ＩＥ））である。１つの例において、ＨｅＮＢがこの選択肢に従ってＣＳＦＢを行う必要があるときは、そのＨｅＮＢは、発呼または着呼を行うＨＮＢの情報要素Ｓｙｓ  Ｉｎｆｏを必要とする。
【００１５】
ハンドオーバー
ハンドオーバー（ＨＯ）は、アールアールシーコネクテッド（ＲＣＣ−ＣＯＮＮＥＣＴＥＤ）におけるＵＥのサービングセルを、ソース基地局モジュールから、ターゲット基地局モジュールへ変更する手順である。
【００１６】
ソース基地局モジュールは、ＵＥからの測定報告と無線リソース管理（ＲＲＭ）情報に基づいて、ハンドオーバーを開始することに関して決定する。ソース基地局モジュールがハンドオーバーを行うと決定したときは、そのソース基地局モジュールは、ハンドオーバーリクエストメッセージを含むシグナリングを使用して、すべての必要な情報要素（例えば、Ｅ−ＲＡＢ属性とＲＲＣコンテクスト）をターゲット基地局モジュールに渡す。これに応答して、ターゲット基地局モジュールは、ハンドオーバーリクエストアクノレッジを含むシグナリングを使用して、すべての必要な情報要素をソース基地局モジュールに送ることによりＨＯの準備をする。ＨＯにおいて、ターゲット基地局モジュールによってリソースが与えられるなら、ＨＯ成功の可能性を高めるために、ソース基地局モジュールからの受信情報に依存して、ターゲット基地局モジュールによりアドミッション制御（ＡＣ）が行われてよい。
【００１７】
しかし、ソースまたはターゲット基地局モジュールは、物理セル識別子（ＰＣＩ）と、一次スクランブル符号（ＰＳＣ）と、搬送周波数の少なくとも１つを動的に再選択および変更可能である。デュアルＦＡＰの他方の基地局モジュールは、ＨＯが起こることが可能で、且つ成功することが可能なように、更新されたＰＣＩと、ＰＳＣと、搬送周波数に対応する情報要素を必要とする。
【００１８】
更に、ターゲット基地局モジュールによるリソースの付与に関する決定は、静的パラメータ情報要素と動的パラメータ情報要素の少なくとも１つを含むことができるターゲットセルパラメータのような情報要素に依存してもよい。静的パラメータ情報要素は、ターゲット基地局モジュールがサービスを提供するように構成されているＵＥの最大数（ＭａｘＵＥｓＳｅｒｖｅｄと称されるときもある）と、ターゲット基地局モジュールがサービスを提供するように構成されている制限された加入者グループ（ＣＳＧ）のメンバの最大数（ＭａｘＣＳＧＭｅｍｂｅｒｓと称されるときもある）と、ターゲット基地局モジュールがサービスを提供するように構成されている非ＣＳＧメンバの最大数（ＭａｘＮｏｎＣＳＧＭｅｍｂｅｒｓと称されるときもある）の少なくとも１つを含んでよい。動的パラメータ情報要素は、ターゲット基地局モジュールによりサービスを提供されるＣＳＧ  ＵＥの現在数と、ターゲット基地局モジュールによりサービスを提供される非ＣＳＧ  ＵＥの現在数と、ターゲット基地局モジュールの輻輳状況と、ターゲット基地局モジュールの負荷状況の少なくとも１つを含んでよい。
【００１９】
上記の例における情報要素の交換には欠点がある。
【００２０】
ＮＭＭ情報要素更新の例において、またはハンドオーバーの例において、基地局モジュールによるＮＭＭを、デュアルＦＡＰの他方の基地局モジュールによるＰＣＩと、ＰＳＣと、搬送周波数の少なくとも１つの再選択および変更を即座に監視するように行うことができない。遅延したＮＭＭは、少なくとも一方の基地局が、デュアルＦＡＰの他方の基地局モジュールのＰＣＩと、ＰＳＣと、搬送周波数の少なくとも１つに関して更新された情報要素を有していないという結果になり得る。更に、ＴＲ−０６９  ＡＣＳとＮＭＭモジュールは、ＮＭＭの結果に関して、少なくとも一方の基地局モジュールへ更新された情報要素を即座に送ることができない。ＮＭＭの結果を遅延して送ることは、少なくとも一方の基地局が、隣接セルリストおよび隣接基地局モジュールのＰＣＩと、ＰＳＣと、搬送周波数の少なくとも１つに関して更新された情報要素を有していないという結果になり得る。
【００２１】
従って、その後のハンドオーバーは、更新されていない情報要素のせいで、失敗または発生しない可能性がある。更に、ハンドオーバーが開始され、情報要素が更新されていないせいで失敗すると、ソースおよびターゲット基地局モジュールからのシグナリングは、他のシグナリングに悪影響を与えた可能性のある通信ネットワーク上の不要なシグナリングであったこと、及び不要なエネルギーの消費であったことになる。
【００２２】
ＣＳＦＢの例において、デュアルＦＡＰのＨＮＢは、３ＧＰＰ  ＴＳ  ３６．３００−ｖ９．６．０に定義されているようなＲＩＭ（ＲＡＮ（無線アクセスネットワーク）情報管理）手順を含むシグナリングを使用して、必要なＳｙｓ  Ｉｎｆｏを、コアネットワークを介してＨｅＮＢに送る。このシグナリングは、コアネットワークへの他のトラフィックの品質に悪影響を与える可能性のあるコアネットワークへのトラフィックの増大という結果を招き得るとともに、エネルギーを消費する。
【発明の概要】
【課題を解決するための手段】
【００２３】
本発明の態様は、上記の問題に対処しまたは少なくとも改良する。
【００２４】
一態様によれば、本発明は、通信装置において、第１基地局モジュールであって、通信ネットワークへのワイヤレス接続を、前記第１基地局モジュールの範囲内の１つ以上の移動通信装置に提供するための第１基地局モジュール、第２基地局モジュールであって、通信ネットワークへのワイヤレス接続を、前記第２基地局モジュールの範囲内の１つ以上の移動通信装置に提供するための第２基地局モジュール、及び前記通信装置の内部で、少なくとも１つの情報要素を、前記第１及び第２基地局モジュールの一方から、前記第１及び第２基地局モジュールのもう一方へ転送するための手段、を含むことを特徴とする通信装置を提供する。
【００２５】
前記転送手段は、前記第１基地局モジュールと前記第２基地局モジュールとを連結するための内部インターフェイスを含んでよい。
【００２６】
前記第１及び第２基地局モジュールの少なくとも一方は、少なくとも１つの情報要素を前記転送手段に提供してよく、前記転送手段は、提供された少なくとも１つの情報要素を格納するメモリを含んでよい。前記第１及び第２基地局モジュールの他方は、前記提供された少なくとも１つの情報要素を、前記転送手段の前記メモリから検索してよく、および／または前記転送手段は、前記第１及び第２基地局モジュールの少なくとも一方により提供された前記情報要素を、前記第１及び第２基地局モジュールの他方に提供してよい。
【００２７】
前記転送手段は、メモリを含む動作管理保守モジュールを含んでよい。
【００２８】
前記第１及び第２基地局モジュールの少なくとも一方は、少なくとも１つの情報要素を、前記インターフェイスを介して、前記第１及び第２基地局モジュールのもう一方に提供してよい。前記第１及び第２基地局モジュールの少なくとも一方は、少なくとも１つの情報要素を、前記インターフェイスを介して、前記第１及び第２基地局モジュールのもう一方にリクエストしてよい。前記インターフェイスは、前記第１及び第２基地局モジュールの少なくとも一方のための少なくとも１つのコントローラモジュールを含むインターフェイスモジュールを含んでよい。
【００２９】
前記第１及び第２基地局モジュールの少なくとも一方は、コントローラモジュールからのリクエストに応答して、少なくとも１つの情報要素を、前記インターフェイスを介して、前記第１及び第２基地局モジュールのもう一方に提供してよい。
【００３０】
一態様によれば、本発明は、第１基地局モジュールであって、通信ネットワークへのワイヤレス接続を、前記第１基地局モジュールの範囲内の１つ以上の移動通信装置に提供するための第１基地局モジュール、第２基地局モジュールであって、通信ネットワークへのワイヤレス接続を、前記第２基地局モジュールの範囲内の１つ以上の移動通信装置に提供するための第２基地局モジュール、及び少なくとも１つの情報要素を、前記第１及び第２基地局モジュールの一方から前記第１及び第２基地局モジュールのもう一方へ転送するための手段、を含み、前記転送手段は、前記第１基地局モジュールに設けられ、少なくとも１つの要求された情報要素を識別するリクエストを生成して前記通信ネットワークの通信ノードに送るための手段、前記第２基地局モジュールに設けられ、前記リクエストを前記通信ノードから受信し、前記リクエストされた少なくとも１つの要求された情報要素を含む前記リクエストに対するレスポンスを送るための手段、及び前記第１基地局モジュールに設けられ、前記レスポンスを受信するための手段、を含む通信装置を提供する。
【００３１】
前記通信ノードは、コアネットワークのノードであってよい。前記リクエストと前記レスポンスは、自己組織化ネットワーク（ＳＯＮ）転送プロトコルに従うメッセージを含んでよい。自己組織化ネットワーク（ＳＯＮ）転送プロトコルに従うメッセージは、ＳＯＮ情報転送メッセージを含んでよく、前記少なくとも１つの情報要素は、ＳＯＮ情報転送メッセージに、ＳＯＮ転送アプリケーションＩＤ情報要素、またはＳＯＮ転送リクエストコンテナ情報要素、またはＳＯＮ転送レスポンスコンテナ情報要素のいずれか１つとして追加されてよい。
【００３２】
前記少なくとも１つの情報要素は、前記第１及び第２基地局モジュールの少なくとも一方の構成、物理セル識別子（ＰＣＩ）、一次スクランブル符号（ＰＳＣ）、搬送周波数、静的パラメータ情報要素、動的パラメータ情報要素、ＵＭＴＳシステム情報のようなシステム情報、及び隣接セルリスト、の少なくとも１つを含んでよい。前記静的パラメータ情報要素は、基地局モジュールがサービスを提供するように構成されているＵＥの最大数（ＭａｘＵＥｓＳｅｒｖｅｄ）、基地局モジュールがサービスを提供するように構成されている制限された加入者グループ（ＣＳＧ）メンバの最大数（ＭａｘＣＳＧＭｅｍｂｅｒｓ）、及び基地局モジュールがサービスを提供するように構成されている非ＣＳＧメンバの最大数（ＭａｘＮｏｎＣＳＧＭｅｍｂｅｒｓ）、の少なくとも１つを含んでよい。前記動的パラメータ情報要素は、基地局モジュールによりサービスを提供されているＣＳＧ  ＵＥの現在数、基地局モジュールによりサービスを提供されている非ＣＳＧ  ＵＥの現在数、及び基地局モジュールの負荷または輻輳状況、の少なくとも１つを含んでよい。
【００３３】
前記第１基地局モジュールと前記第２基地局モジュールは共通ハウジング内に搭載されてよい。前記通信装置はデュアルモードフェムトアクセスポイントを含んでよい。前記第１及び第２基地局モジュールの少なくとも一方はＨＮＢを含んでよく、前記第１及び第２基地局モジュールの他方はＨｅＮＢを含んでよい。
【００３４】
前記転送手段は、前記通信装置の内部で、前記少なくとも１つの情報要素を転送するように、または、前記少なくとも１つの情報要素を、転送中の前記少なくとも１つの情報要素に依存して、前記通信装置の外部にある前記通信ネットワークの通信ノードを介し転送するように構成されてよい。
【００３５】
一態様によれば、本発明は、第１基地局モジュールであって、通信ネットワークへのワイヤレス接続を、前記第１基地局モジュールの範囲内の１つ以上の移動通信装置に提供するための第１基地局モジュールと、通信ネットワークへのワイヤレス接続を、第２基地局モジュールの範囲内の１つ以上の移動通信装置に提供するための前記第２基地局モジュールからの少なくとも１つの情報要素を、第１基地局モジュールへ転送するための手段と、を含み、前記転送手段は、前記第１基地局モジュールに設けられ、少なくとも１つの要求された情報要素を識別するリクエストを生成して前記通信ネットワークの通信ノードへ送るための手段、及び前記第１基地局モジュールに設けられ、前記第２基地局モジュールからの前記リクエストに対するレスポンスであって、前記リクエストされた少なくとも１つの要求された情報要素を含むレスポンスを受信するための手段、を含む通信装置を提供する。
【００３６】
本発明はまた、通信ネットワークに使用され、１つ以上の移動通信装置と、発明の幾つかの態様に係る通信装置を含むシステムを提供する。
【００３７】
一態様によれば、本発明は、通信装置とともに使用される移動通信装置を提供し、前記通信装置は、第１基地局モジュールであって、通信ネットワークへのワイヤレス接続を、前記第１基地局モジュールの範囲内の１つ以上の移動通信装置に提供するための第１基地局モジュール、第２基地局モジュールであって、通信ネットワークへのワイヤレス接続を、前記第２基地局モジュールの範囲内の１つ以上の移動通信装置に提供するための第２基地局モジュール、及び前記第１基地局モジュールと前記第２基地局モジュールとを連結するためのインターフェイス、を含み、前記第１及び第２基地局モジュールの少なくとも一方は、前記通信装置の内部で、少なくとも１つの情報要素を、前記インターフェイスを介して前記第１及び第２基地局モジュールのもう一方と交換するように構成され、さらに、前記移動通信装置は、前記通信装置の前記第１及び第２基地局モジュールの１つを介して前記通信ネットワークと通信するように配置されている。
【００３８】
一態様によれば、本発明は、通信ネットワークにおいて実行される方法であって、通信装置の２つの基地局モジュール間での少なくとも１つの情報要素の交換を容易にする方法を提供し、前記方法は、前記２つの基地局モジュールを連結する内部インターフェイスを通じて少なくとも１つの情報要素を交換することを含む。
【００３９】
別の態様によれば、本発明は、通信ネットワークにおいて実行される方法であって、通信装置の２つの基地局モジュール間での少なくとも１つの情報要素の交換を容易にする方法を提供し、前記方法は、メモリを含む動作管理保守モジュールを備える転送手段を介して少なくとも１つの情報要素を交換することを含む。
【００４０】
別の態様によれば、本発明は、通信ネットワークにおいて実行される方法であって、通信装置の２つの基地局モジュール間での少なくとも１つの情報要素の交換を容易にする方法を提供し、前記方法は、少なくとも１つの情報要素を、前記通信装置の外部にある前記通信ネットワークの通信ノードを介して前記少なくとも１つの情報要素を転送するための転送手段を介して交換することを含む。
【００４１】
一態様によれば、本発明は、通信ネットワークにおいて実行される方法であって、前記ネットワークの２つの基地局モジュール間での少なくとも１つの情報要素の交換を容易にする方法を提供し、前記方法は、少なくとも１つの情報要素を、前記通信ネットワークの通信ノードを介して前記少なくとも１つの情報要素を転送するための転送手段を介して交換することを含み、前記転送手段は、少なくとも１つの要求された情報要素を識別するリクエストを生成して第１基地局モジュールから前記通信ネットワークの通信ノードに送り、前記リクエストを前記通信ノードから受信して前記リクエストされた少なくとも１つの要求された情報要素を含む前記リクエストに対するレスポンスを第２基地局モジュールから送り、そして前記レスポンスを第１基地局モジュールにおいて受信する。
【００４２】
本発明の態様は、プログラム可能なプロセッサに、態様に述べたような方法と、上記に説明されまたは請求項において列挙される実現性とを実行させるようにプログラムするよう動作可能な命令、および／または好適に適合したコンピュータに、請求項のいずれかに列挙される装置を提供させるようにプログラムするよう動作可能な命令、をそこに格納された命令として有するコンピュータ読取り可能な記憶媒体のようなコンピュータプログラム製品に及ぶ。
【００４３】
発明の実施形態を、例として、添付図面を参照して説明する。
【図面の簡単な説明】
【００４４】
【図１】移動通信システムを模式的に例示している。
【図２ａ】３ＧシステムにおけるホームＮｏｄｅＢ通信ノードである基地局の主要構成要素を例示しているブロック図を示している。
【図２ｂ】３ＧシステムにおけるホームＮｏｄｅＢ通信ノードである基地局の主要構成要素を例示しているブロック図を示している。
【図２ｃ】３ＧシステムにおけるホームＮｏｄｅＢ通信ノードである基地局の主要構成要素を例示しているブロック図を示している。
【図３】図１の通信システムのＵＥの主要構成要素を模式的に例示している。
【図４ａ】図１の通信システムのデュアルモードＦＡＰ用のアーキテクチャの例を模式的に例示している。
【図４ｂ】図１の通信システムのデュアルモードＦＡＰ用のアーキテクチャの別の例を模式的に例示している。
【図４ｃ】図１の通信システムのデュアルモードＦＡＰ用のアーキテクチャの別の例を模式的に例示している。
【図５】図１の通信システムにより行われる典型的な方法を例示しているタイミング図である。
【図６】図１の通信システムにより行われる別の典型的な方法を例示している図である。
【図７】図１の通信システムにより行われる更に別の典型的な方法を例示している図である。
【発明を実施するための形態】
【００４５】
典型的な実施形態
当業者に対する理解の効率のために、発明の実施形態と実現は、３Ｇシステム（ＵＭＴＳ、ＬＴＥ）のコンテクストにおいて詳細に説明されるが、発明の原理は、携帯機器またはユーザー機器（ＵＥ）が幾つかの基地局の１つと通信する他の（ＷｉＭＡＸのような）システムに、必要に応じてそのシステムの対応する要素を変更して適用できる。
【００４６】
概要
図１は、移動電話３−１〜３−６のようなユーザー機器（ＵＥ）のユーザーが、異なるアクセスノードを介して他のユーザーと通信することができる移動（セルラ）通信システム１を模式的に例示している。特に、移動電話３（または他のユーザー機器ＵＥ）は、全地上無線アクセスネットワーク（ＵＴＲＡＮ）基地局５−１および関連する無線ネットワーク制御装置（ＲＮＣ）７、または発展型ＵＴＲＡＮ（Ｅ−ＵＴＲＡＮ）基地局５−２、を直接介して移動電話コアネットワーク８と接続できる。移動電話３はまた、ユーザーの商用または私用の建物９に設けられる「ホーム」基地局（ＨＮＢ）を使用して移動電話コアネットワーク８に接続できる。各ＨＮＢまたはＨｅＮＢ１１（即ち、ＨＮＢ１１−１、ＨｅＮＢ１１−２、ＨＮＢ／ＨｅＮＢ１１−３、ＨＮＢ／ＨｅＮＢ１１−４）は、レジデンシャルゲートウェイ１３とブロードバンドアクセスネットワーク１５（ブロードバンドフォーラム、ＢＢＦに準拠）により、移動電話コア電話ネットワーク８に連結される。
【００４７】
図１に例示されている例において、移動電話３−１はＨＮＢ１１−１を介してコアネットワーク８に接続され、移動電話３−２はＨｅＮＢ１１−２を介してコアネットワーク８に接続され、移動電話３−３はＥ−ＵＴＲＡＮ基地局５−２を介してコアネットワーク８に接続され、移動電話３−４はＵＴＲＡＮ基地局５−１を介してコアネットワーク８に接続され、移動電話３−５はデュアルモード基地ＨＮＢ／ＨｅＮＢまたはデュアルフェムトアクセスポイント１１−３を介してコアネットワーク８に接続され、移動電話３−６はデュアルモード基地ＨＮＢ／ＨｅＮＢまたはデュアルＦＡＰ１１−４を介してコアネットワーク８に接続される。
【００４８】
図１の例において、レジデンシャルゲートウェイ１３はＡＤＳＬまたはケーブル接続１６を介してブロードバンドアクセスネットワーク１５に接続し、ＨＮＢ及びＨｅＮＢはコアネットワーク８内のセキュリティゲートウェイ（図示せず）のＩＰアドレスでプログラムされ、それによりＨＮＢ及びＨｅＮＢは最初、予めプログラムされたセキュリティゲートウェイに接続する。この実施形態において、ユーザーの商用または私用の建物９のレジデンシャルゲートウェイ１３は、ＨＮＢまたはＨｅＮＢ１１にブロードバンドアクセスネットワーク１５におけるローカルＩＰを割り当て、ＨＮＢまたはＨｅＮＢ１１はそのローカルＩＰを、コアネットワーク８との通信に使用する。
【００４９】
デュアルＦＡＰ１１−３、１１−４のＨＮＢとＨｅＮＢには、少なくとも１つの情報要素を、第１及び第２基地局モジュールの一方から、第１及び第２基地局モジュールのもう一方へ転送するのに有利なように、情報転送部分１４が設けられている。転送モジュール１４は、デュアルＦＡＰのＨＮＢとＨｅＮＢの間での情報要素の交換を有利なように可能にする。ＨＮＢ及びＨｅＮＢは、転送モジュール１４を介して交換された情報要素を、自身の動作のために、例えば、情報の更新のために、および／またはＣＳＦＢまたはハンドオーバーを転送するか否かについてデュアルＦＡＰの同所に存在するＨＮＢ／ＨｅＮＢ部に知らせるために、使用してもよい。
【００５０】
ホーム基地局
図２ａ、２ｂ、２ｃは、３Ｇシステム１におけるデュアルＦＡＰ１１−３、１１−４のＨＮＢ基地局部の種々の例の主要構成要素を例示しているブロック図を示している。
【００５１】
図２ａ、２ｂ、２ｃに示されているように、デュアルＦＡＰのそれぞれの典型的なＨＮＢ部は、１つ以上のアンテナ２３を介して信号をＵＥ３に送信し、信号をＵＥ３から受信し、ネットワークインターフェイス２５を介して信号を電話ネットワークに送信し、信号を電話ネットワークから受信するトランシーバ回路２１を少なくとも含む。トランシーバ回路２１は、メモリ２９に格納されているソフトウェアに従ってコントローラ２７により制御される。ソフトウェアは、何よりも、オペレーティングシステム３１と、ＩＰＳｅｃモジュール３２と、ＵＥ３との通信においてトランシーバ回路２１により送信されるユーザーデータパケットのスケジューリングを行うダウンリンクスケジューラ３３と、ＵＥ３のアップリンクデータを基地局に送信するためにＵＥ３により使用される周波数リソースを割り当てるリソースアロケータ３４を含む。この例では、ソフトウェアは更に、基地局からのＵＥの距離を測定する距離測定器３５と、使用される変調及び符号化率を判定する変調タイプ／符号化率（ＭＣＳ）判定器３６と、基地局がＵＥ３との通信を試みようとする制御チャネルのＭＣＳをＵＥ３に対して識別するための変調タイプ／符号化率方式（ＭＣＳ）識別器３７と、ＨＮＢ−ＧＷ通信モジュール３８と、ＳＧＳＮ／ＭＳＣ通信モジュール３９と、ユーザー機器通信モジュール４０を含む。ＨＮＢ１１は更に、標準無線ネットワーク制御装置ＲＮＣ４１により提供される無線リソース管理機能を含む。
【００５２】
上述したように、デュアルＦＡＰ１１−３、１１−４のそれぞれの典型的なＨＮＢ部もまた、ＦＡＰ１１−３、１１−４のＨｅＮＢ部と情報要素を交換するように構成された転送部分１４（図２ａにおいて１４−１で示される転送モジュールを備える）を含む。
【００５３】
図２ａのＨＮＢ部は、外部転送機構を使用してＨｅＮＢ部と情報を交換するように動作可能な転送モジュール１４−１を備える転送部分を含む。
【００５４】
図２ｂのＨＮＢ部は、情報転送制御モジュールの制御のもとで、内部転送機構を使用してＨｅＮＢ部と情報を交換するときに使用される内部「ＨｅＮＢ」インターフェイス２８を備える転送部分１４を含む。
【００５５】
図２ｃは、ＨｅＮＢ部とＨＮＢ部とがそこへ情報を格納することができ、ＨｅＮＢ部とＨＮＢ部とが他方に関する情報をそこから検索できる共有転送メモリを備える転送部分１４を含む。
【００５６】
各転送部分１４の動作は、後に「動作」とタイトル付けされた欄にて詳細に説明する。
【００５７】
図１に示されているデュアルＦＡＰ１１−３及び１１−４のＨｅＮＢ部は、図２ａ、２ｂ、２ｃに示されている典型的なＨＮＢ部（ＨｅＮＢ部と情報を交換するための転送モジュールまたは部分１４を含む）のいずれかに対応する構成要素を有する類似の構成を有してよいということが理解されるだろう。ＨｅＮＢ部とＨＮＢ部の間の主要な相違は、ＨＮＢ−ＧＷ通信モジュール３８が選択的であり、また、ＳＧＳＮ／ＭＳＣ通信モジュール３９の代わりに、ＭＭＥと通信するためのＭＭＥ通信モジュールがあってもよい、という事実を含む。さらに、ＨｅＮＢはＨＮＢＡＰプロトコルを使用しての通信は行わず、Ｓ１ＡＰプロトコルのようなＥ−ＵＴＲＡＮプロトコルを使用する。
【００５８】
ユーザー機器
図３は、図１に示されているＵＥ３の主要構成要素を模式的に例示している。図３に示されているように、各ＵＥ３は、１つ以上のアンテナ７３を介して信号を前記基地局５または１１へ送信し、信号を基地局５または１１から受信するためのトランシーバ回路７１を含む。図示されているように、ＵＥ３はまた、ＵＥ３の動作を制御するためのコントローラ７５も含む。コントローラ７５は、トランシーバ回路７１と、この例では、ラウドスピーカ７７、マイクロフォン７９、ディスプレイ８１及びキーパッド８３を有しているユーザーインターフェイスと、に接続されている。コントローラ７５は、メモリ８５に格納されているソフトウェア命令に従って動作する。図示されているように、これらのソフトウェア命令は、何よりも、オペレーティングシステム８７と、ダウンリンク（ＤＬ）制御チャネル上での復号を行うデコーダ９０を有する通信モジュール８９とを含む。
【００５９】
デュアルＦＡＰアーキテクチャ
図４ａ、４ｂ、４ｃは、図１のデュアルＦＡＰ１１−３及び１１−４用の種々のアーキテクチャを模式的に例示している。図４ａのＦＡＰは、図２ａを参照して説明したように、実質上ＨＮＢ部及びＨｅＮＢ部を含んでいる。図４ｂのＦＡＰは、図２ｂを参照して説明したように、実質上ＨＮＢ部及びＨｅＮＢ部を含んでいる。図４ｃのＦＡＰは、図２ｃを参照して説明したように、実質上ＨＮＢ部及びＨｅＮＢ部を含んでいる。
【００６０】
図４ａは、図１のデュアルＦＡＰ１１−３用のアーキテクチャの例を模式的に例示しており、デュアルＦＡＰは分離したコントローラモジュール２７−１及び２７−２を含む。つまり、ＨＮＢ及びＨｅＮＢのそれぞれ用のコントローラモジュール２７がある。この例では、各分離したコントローラモジュール２７−１及び２７−２は、分離したベースバンドチップセット１１−３−１及び１１−３−２のそれぞれの一部であるとみなしてよい。
【００６１】
図４ｂ及び４ｃは、図１のデュアルＦＡＰ１１−４用のアーキテクチャの例を模式的に例示しており、デュアルＦＡＰは単一のコントローラモジュール２７を含む。つまり、ＨＮＢ及びＨｅＮＢの両者用に単一のコントローラモジュール２７がある。この例では、コントローラモジュール２７は、ＨＮＢ及びＨｅＮＢの両者ようの単一のベースバンドチップセット１１−４−１の一部とみなしてよい。
【００６２】
図４ａの場合、デュアルＦＡＰ１１−３の２つのホーム基地局（ＨＮＢ及びＨｅＮＢ）は、転送モジュール１４−１及び１４−２をそれぞれを備える転送部分１４を含む。図４ｂの場合、デュアルＦＡＰ１１−４の２つのホーム基地局（ＨＮＢ及びＨｅＮＢ）は、ＨＮＢ及びＨｅＮＢ間の内部インターフェイス２８と関連するインターフェイス制御２８−１を備える転送部分１４を含む。図４ｃの場合、デュアルＦＡＰ１１−４の２つのホーム基地局（ＨＮＢ及びＨｅＮＢ）は、ＨＮＢ部及びＨｅＮＢ部が情報をそこに格納でき、ＨＮＢ部及びＨｅＮＢ部が他方に関する情報をそこから検索できる共有転送メモリを備える転送部分１４を含む。
【００６３】
図４ａ、４ｂ、４ｃにおいて、第１基地局モジュール及び第２基地局モジュールは、矢印１１−３及び１１−４によって示されているように、共通のハウジング内に搭載されている。
【００６４】
動作
少なくとも１つの情報要素を、デュアルＦＡＰの第１及び第２基地局モジュールの一方から、第１及び第２基地局モジュールのもう一方へ転送するために使用される方法の例をここに説明する。当業者の理解の効率のため、発明は、デュアルＦＡＰの２つのホーム基地局（ＨＮＢ及びＨｅＮＢ）のコンテクストにおいて詳細に説明されるが、ここに説明される原理は、必要に応じて変更されたシステムの対応する要素を備える３つ以上のホーム基地局を含むマルチモードＦＡＰにも適用可能である。
【００６５】
図４ａを参照して説明したＦＡＰ１１−３と、図２ａを参照して説明したＨＮＢ／ＨｅＮＢ部において、第１及び第２基地局モジュールの一方から、第１及び第２基地局モジュールのもう一方へ情報要素を転送するための転送部分１４は、通信ネットワーク内の他の場所、例えばコアネットワーク８内において外部機構を使用して、例えば、サービングＧＰＲＳサポートノード（ＳＧＳＮ）のような別の通信ノード１８との通信を介して、情報要素を転送するように動作することが可能である。
【００６６】
具体的には、図２ａ、４ａを参照して説明したＦＡＰ１１−３は、図５において簡略化された形式で例示されているような外部転送機構を採用してよい。図５に見られるように、ＦＡＰ１１−３の第１ホーム基地局は、少なくとも１つの情報要素をリクエストする情報要素転送リクエストを、それぞれの転送モジュール１４−１、１４−２を介して外部通信ノード１８（この場合は、ＳＧＳＮ）に送る。そして、外部通信ノード１８は、送られた情報要素転送リクエストを、対応する転送モジュール１４−１、１４−２がそのリクエストを受信して解釈するＦＡＰ１１−３の第２基地局へ送信する。そして、第２基地局は、元の転送リクエストに応答して、リクエストされた情報要素を含む情報要素転送レスポンスを、その転送モジュール１４−１、１４−２を介して外部通信ノード１８へ送る。そして、外部通信ノード１８は、リクエストされた情報要素を含む情報要素転送レスポンスを、第１基地局の対応する転送モジュール１４−１、１４−２がその情報要素転送レスポンスを受信して解釈するＦＡＰ１１−３の第１ホーム基地局に送信する。
【００６７】
この例では、第１及び第２基地局モジュールは、３ＧＰＰ  ＴＳ  ３６．４１３  Ｖ１０．３．０とＴＳ  ４８．０１８  Ｖ１０．３．０で定義されているよう自己組織化ネットワーク（ＳＯＮ）転送プロトコルを使用して外部転送を行うのに有利なように構成されている。ＳＯＮ転送プロトコルに従って、デュアルＦＡＰ１１の１つの基地局モジュールから別の基地局モジュールに転送され得る情報要素は、ＳＯＮ情報転送メッセージに、
ＳＯＮ転送アプリケーションＩＤ情報要素、または
ＳＯＮ転送リクエストコンテナ情報要素、または
ＳＯＮ転送レスポンスコンテナ情報要素、のいずれか１つとして追加される。
図４ｂ及び４ｃを参照して説明した各ＦＡＰ１１と、図２ｂ及び２ｃを参照して説明したＨＮＢ／ＨｅＮＢ部において、ホーム基地局部の一方から、ホーム基地局部のもう一方へ情報要素を転送するための転送部分１４は、情報要素を転送するために内部機構を使用する。デュアルＦＡＰ１１のＨｅＮＢ及びＨＮＢの両者は、矢印３０で示されるように交換可能であり、また転送モジュールまたは部分１４により転送された情報要素を解釈することが可能である。
【００６８】
図２ｂ、４ｂを参照して説明したＦＡＰ１１は、図６に簡略化した形式で例示されているような内部転送機構を採用する。図２ｂを参照して説明したように、転送部分１４は、一方のホーム基地局部を他方のホーム基地局部に連結するための内部インターフェイス２８を含む。
【００６９】
図６に見られるように、この例では、第１のホーム基地局部は、Ｓ１において、第２の同所に存在するホーム基地局部により必要とされ得る少なくとも１つの情報要素を有している。第１ホーム基地局部は、Ｓ２において、情報要素が要求されているという指示に応答して、インターフェイスコントローラモジュール２８−１の制御のもと、内部インターフェイス２８を介して、同所に存在する第２ホーム基地局部に少なくとも１つの情報要素を提供する。指示は、情報要素により表わされる情報をリクエストする第２ホーム基地局部からの明示的なリクエストを含むことができ、または、第１ホーム基地局部が情報を提供することをリクエストする他の通信ノードからの外部刺激を含むことができ、または、例えば、予め定めた状態に至ったことに対応した、第１ホーム基地局部のモジュールの１つからの内部指示を含むことができる。例えば、輻輳状況または他の負荷関連情報要素は、第２基地局からの明示的なリクエストに応答して、第１ホーム基地局部により第２ホーム基地局に提供されてよく、または、所定の輻輳閾値に達したときに提供し、その結果、第２ホーム基地局部が、十分なリソースを利用できないときに第１ホーム基地局部へ装置をハンドオーバーすることを回避できるようにしてもよい。Ｓ３において、第２ホーム基地局は、転送の結果として情報要素を受信する。
【００７０】
図２ｃ及び４ｃを参照して説明したＦＡＰ１１は、前述したような共有転送メモリと、図７に簡略化された形式で例示されているような転送機構と、を備える転送部分１４を採用する。図７に見られるように、第１ホーム基地局部は、Ｓ４において、第２の同所に存在するホーム基地局部により必要とされ得る少なくとも１つの情報要素を有する。第１ホーム基地局部は、Ｓ５において、共有転送メモリに情報要素を格納する。第２ホーム基地局部は、Ｓ６において、要求された任意の格納情報要素を共有転送メモリから検索する。共有転送メモリは、有利となるように、共有メモリを含む動作管理保守（ＯＡＭ）モジュールの一部を形成する。
【００７１】
有利なことに、共有転送メモリを備えることは、自動構成管理サーバー（ＡＣＳ）（例えば、ブロードバンドフォーラムの技術レポートＴＲ−０６９によるＡＣＳ）が、ＨＮＢ及びＨｅＮＢの初期の構成を表す情報要素を、動作管理保守（ＯＡＭ）モジュールと関連付けられた共有転送メモリに格納することを可能にする。従って、上述したように、初期構成を表す情報要素は、ＨＮＢおよび／またはＨｅＮＢによる検索が可能で、または適切なメッセージを使用して、ＨＮＢおよび／またはＨｅＮＢへＯＡＭモジュールによって提供できる。
【００７２】
有利なことに、上記の例のそれぞれにおいて、ホーム基地局部は、以下の、
第１及び第２基地局モジュールの少なくとも１つの構成、
物理セル識別子（ＰＣＩ）、
一次スクランブル符号（ＰＳＣ）、
搬送周波数、
静的パラメータ情報要素、例えば、静的セルパラメータ情報要素、
動的パラメータ情報要素、例えば、動的セルパラメータ情報要素、
ＨＮＢ部用のＵＭＴＳシステム情報のようなシステム情報、及び
隣接セルリスト、
のいずれかに関連し、またはそれらのいずれかを含む情報要素を転送するように構成されている。
【００７３】
静的パラメータ情報要素は、
基地局モジュールがサービスを提供するように構成されているＵＥの最大数（ＭａｘＵＥｓＳｅｒｖｅｄ）、
基地局モジュールがサービスを提供するように構成されている制限された加入者グループ（ＣＳＧ）メンバの最大数（ＭａｘＣＳＧＭｅｍｂｅｒｓ）、
基地局モジュールがサービスを提供するように構成されている非ＣＳＧメンバの最大数（ＭａｘＮｏｎＣＳＧＭｅｍｂｅｒｓ）、
の少なくとも１つを含む。
動的パラメータ情報要素は、
基地局モジュールによりサービスを提供されているＣＳＧ  ＵＥの現在数、
基地局モジュールによりサービスを提供されている非ＣＳＧ  ＵＥの現在数、及び
基地局モジュールの負荷／輻輳状況、
の少なくとも１つを含む。
【００７４】
既述の転送機構は、多数の状況において特に有益である。
【００７５】
有益なことに、内部または外部転送機構を使用して、同所に存在するホーム基地局機能から得られるＰＣＩ／ＰＳＣおよび／または搬送周波数を提供することにより、１つのホーム基地局部（例えば、ＨｅＮＢ）がそのＰＣＩ／ＰＳＣおよび／または搬送周波数を動的に再選択／変更しても、他の部（例えば、ＨＮＢ）は、（ＨＮＢが、ＨｅＮＢに関連するその隣接セル情報に格納されている誤ったデータを有するという結果になる）ＮＭＭが行われるのを待つ必要なしに情報を得ることが可能である。同様に、ＡＣＳにより共存するホーム基地局部に対して提供され、内部または外部転送機構を使用して共存するホーム基地局機能から得られる構成情報を提供することにより、その構成情報を、ＡＣＳがそれを提供するのを待つ必要なしに、即座に得ることが可能である。これは、例えば、誤ったパラメータ（例えば、ＰＣＩ／搬送周波数）がＨＮＢに格納されているときには、ＨｅＮＢへのハンドオーバーが失敗すたり、または起きるべきときに起きなかったりするという理由で、特に有益である。
【００７６】
更に、内部または外部転送機構を使用して、同所に存在するホーム基地局機能から得られる隣接セル情報を提供することにより、ＮＭＭが、ＨｅＮＢではなくＨＮＢによって異なった時間に作動させられても、またはＨｅＮＢが、自動隣接（ＡＮＲ）手順の効力によりＨＮＢよりも大きな数の隣接セルを識別しても、隣接セル情報は、ＨＮＢとＮｅＮＢの間で有利なように同期が可能で、ＨＮＢ及びＨｅＮＢが互いに異なる隣接セル情報を有することを回避できる。
【００７７】
有益なことに、内部または外部（ＳＯＮに基づく）転送機構を使用して、同所に存在するホーム基地局機能から得られるＨＮＢ用のＵＭＴＳシステム情報を提供することにより、１つのホーム基地局部（例えば、ＨｅＮＢ）が回線交換フォールバック（ＣＳＦＢ）手順（例えば、３ＧＰＰ  ＴＳ  ３６．３００に定義されているような）を行う必要があっても、ＨＮＢへのリダイレクションにより、ＨｅＮＢは、コアネットワーク８を介して、現在のシグナリング集中型の無線アクセスネットワーク（ＲＡＮ）情報管理（ＲＩＭ）手順を用いてこの情報を検索する必要はない。従って、コアネットワーク８へのトラフィックを低減できる。
【００７８】
有益なことに、内部または外部（ＳＯＮに基づく）転送機構を使用して、同所に存在するホーム基地局機能から得られるＭａｘＵＥｓＳｅｒｖｅｄのような静的パラメータと、現在のＣＳＧ  ＵＥのような動的パラメータと、輻輳／負荷状況とを提供することにより、潜在的なハンドオーバーの失敗は初期に検出可能で、それにより失敗したハンドオーバーの試みに関連する不要なハンドオーバーのためのシグナリングを回避することが可能になる。
【００７９】
例えば、デュアルＦＡＰの他方の基地局モジュールによるＰＣＩ、ＰＳＣ及び搬送周波数の少なくとも１つの再選択および変更を即座に監視するためのＮＭＭが特定のホーム基地局部によって行われないとしても、または、ＴＲ−０６９  ＡＣＳおよびＮＭＭモジュールが、ＮＭＭの結果に関して、即座に更新された情報要素を基地局モジュールの少なくとも１つに送らないとしても、更新されたＰＣＩ、ＰＳＣ、搬送周波数および隣接セルリストに対応する情報要素を基地局モジュールに送信できる。従って、両方の基地局は、デュアルＦＡＰの他方の基地局モジュールのＰＣＩ、ＰＳＣ及び搬送周波数と、隣接基地局モジュールのＰＣＩ、ＰＳＣ及び搬送周波数の少なくとも１つに関する更新された情報要素を有することができる。ハンドオーバーの例では、ソース基地局モジュールは、ハンドオーバーを開始することについて決定をするために、ターゲット基地局モジュールの静的パラメータ情報要素と動的パラメータ情報要素についての情報要素へのアクセスを有することができる。これにより、ハンドオーバーを開始するためのより効率的な決定と、より成功する可能性の高いハンドオーバー手順と、通信ネットワーク上での不要なシグナリングの低減という結果になる。
【００８０】
変形および代替
以上に実施形態を詳細に説明した。当業者が理解するように、本発明で得られる利益を確保しつつ、上記実施形態に対して若干の変形や代替が可能である。
【００８１】
上記の実施形態においては、移動電話に基づく通信システムが説明された。当業者が理解するように、本出願で説明されたシグナリング技術は、他の通信システムでも採用可能である。他の通信ノードまたは装置は、例えば、パーソナルデジタルアシスタンス、ラップトップコンピュータ、ウェブブラウザなどのようなユーザー装置を含むことができる。
【００８２】
上述の実施形態においては、移動電話とＨＮＢまたはＨｅＮＢはそれぞれトランシーバ回路を含む。典型的には、この回路は専用のハードウェア回路により構成される。しかし、幾つかの実施形態においては、トランシーバ回路の一部は、対応するコントローラにより実行されるソフトウェアとして実現してよい。
【００８３】
図２ａ、２ｂ、２ｃ、３と４ａ、４ｂと４ｃには、明示的には示されないが、基地局１１とＵＥ３は、それらが機能するように設計された特有のシステムにおいて、それらを基地局及びＵＥとしてそれぞれ動作させるために必要なすべての機能性を有するであろうことは、当然理解されるべきである。また、図２ａ、２ｂ、２ｃ、３と４ａ、４ｂと４ｃは機能ブロック図であり、実施の際、図２ａ、２ｂ、２ｃ、３と４ａ、４ｂと４ｃに示された個々のブロックは個別の要素として存在してよく、またはそれらの機能性を分散させてもよいし、あるいは個々に識別できなくてもよい、ということも理解されるべきである。例として、モジュール３１から４１は分離したソフトウェアモジュールであっても、そうでなくてもよい。
【００８４】
図２ａ、２ｂ、２ｃ、３と４ａ、４ｂと４ｃの上記の説明では、説明された機能性はソフトウェアにより提供されることを示しているが、ＵＥまたは基地局の機能性は、適切な場合には、ハードウェア、ソフトウェア、ファームウェアまたはその任意の組み合わせにより提供されてよいということが理解されるべきである。例として、上述したソフトウェアの一部または全部により実行される機能性は、１つ以上の専用ハードウェア回路を使用して実行されてよい。しかし、ソフトウェアによる実現は、基地局１１またはＵＥ３の機能性の更新を容易にするために好適であろう。
【００８５】
ソフトウェアモジュールが提供される場合、それらは、必要に応じて、コンパイルまたはコンパイルされていない形式で提供されてよく、場合によっては、コンピュータまたは通信ネットワーク上の、または、例えばＣＤ  ＲＯＭのようなコンピュータ記億媒体上の信号として、基地局またはＵＥに供給されてよい。
【００８６】
種々の他の変形は当業者には明白であり、ここでは更に詳細には説明しない。
【００８７】
例えば、マルチモードフェムトアクセスポイントの基地局は、状況と条件に従って、いずれか例を一つだけ、またはあらゆる例の組み合わせを実施してよい。
【００８８】
発明は、デュアルＦＡＰのＨＮＢ／ＨｅＮＢ部間の少なくとも１つの情報要素の転送を含む実施形態を特に参照して説明されたが、発明はまた、２つのマクロセル間、またはフェムトセルとマクロセル間の情報要素の転送を含む実施形態に有益に採用されてもよい。
【００８９】
従って発明は、発展型ＵＴＲＡＮ（Ｅ−ＵＴＲＡＮ）基地局と全地上無線アクセスネットワーク（ＵＴＲＡＮ）基地局間、またはホーム基地局（ＨｅＮＢまたはＨＮＢ）とマクロセル（Ｅ−ＵＴＲＡＮまたはＵＴＲＡＮ）間の情報要素の転送にも関連する。
【００９０】
有益なことに、そして非制限的な例として、例えばＰＣＩ／ＰＳＣおよび／または搬送周波数を、発明の態様に係る機構により提供することにより、１つの基地局（例えば、ＨｅＮＢまたはＥ−ＵＴＲＡＮ）がそのＰＣＩ／ＰＳＣおよび／または搬送周波数を動的に再選択／変更しても、他方の基地局（例えば、それぞれ、ＨＮＢまたはＵＴＲＡＮ）は即座に情報を得ることができる。転送は外部の機構であってもよく、通信ネットワーク内のどこか他の場所、例えばコアネットワーク内において、サービス提供ＧＰＲＳサポートノード（ＳＧＳＮ）のような他の通信ノードとの通信を介するものであってよい。これは、例えば、誤ったパラメータ（例えば、ＰＣＩ／搬送周波数）がＨＮＢに格納されているときには、ＨｅＮＢへのハンドオーバーが失敗したり、または起こるべきときに起きなかったりするという理由で、特に有益である。
【００９１】
本出願は、２０１１年１２月６日に出願された英国特許出願第１１２０９６３．２号を基礎とするとともにその優先権の利益を請求し、その開示はすべて引用によりここに組み込まれる。
【図１】
0005812309.tif 000002
【図２ａ】
0005812309.tif 000003
【図２ｂ】
0005812309.tif 000004
【図２ｃ】
0005812309.tif 000005
【図３】
0005812309.tif 000006
【図４ａ】
0005812309.tif 000007
【図４ｂ】
0005812309.tif 000008
【図４ｃ】
0005812309.tif 000009
【図５】
0005812309.tif 000010
【図６】
0005812309.tif 000011
【図７】
0005812309.tif 000012